【事件の表示】
　平成４年特許願第２８８１６４号「薬物含有固形物を挿入する真珠養殖方法」拒絶査定に対する審判事件［平成５年８月３１日出願公開、特開平５−２１９８５６］について、次のとおり審決する。
【結　論】
　本件審判の請求は、成り立たない。
【理　由】
１．手続の経緯
　本願は、平成４年１０月５日の出願であって、その請求項１に係る発明（以下、「本願発明」という）は、平成１５年３月２４日に提出された手続補正書で補正された明細書及び図面の記載からみて、その特許請求の範囲の請求項１に記載された次のとおりのものである。
　「【請求項１】　真珠貝の挿核施術において、真珠貝中に、抗生物質を含有する１個または２個以上の薬物含有固形物を、切開部もしくはその近傍で、真珠核とは離れた位置に挿入する真珠養殖方法。」
　
２．引用例記載の発明
（１）当審における拒絶の理由に引用された特公昭４６−２３０２６号公報（以下「引用例１」という）には、次の記載が認められる。
（１-a）「本発明は真珠貝の手術挿核時においてリゾチームを施用して真珠貝を養殖し、無瑾の珠の出現率を高め、真珠の歩留をよくする真珠貝の養殖法である。」（１頁左欄１１〜１４行）
（１-b）「即わち真珠貝の挿入時の手術は普通の動物では例を見ない程の大手術であり、真珠貝体の大きさに比して極めて大きく、挿入する核に到っては真珠貝体に対してあまりにも大きい異物であるから、それが高等動物であったならば当然死の転起をとることは明白である。真珠貝の如き下等動物であればこそあの様な大きな手術挿核にも耐え得るのであるが、それにしても非常に大きなストレスを受けて、局部に炎症・・・を起し、創面の組織は破壊分裂される。又創面は無理に挿入された核の表面で極端に伸張されるから、創面には高度の炎症が起り、組織細胞の一部は剥離される。」（１頁右欄２８行〜２頁左欄３行）、
（１-c）「此様な貝類とヒトの創面に生起される現象の相似性から、貝類の創面の修復にもヒトの創面の修復と同様の手段が役立つのではないかということが期持された。又ヒトの場合に炎症と潰瘍とは相関関係があり、炎症を軽くさせると潰瘍を予防し軽癒させるから真珠貝の手術挿核の場合に、抗炎症剤を施用すれば、脱核と弊死の予防並に治療効果を一層高め得ることも考えられた。」（２頁左欄３５〜４２行）
（１-d）「一般に真珠貝は挿核時において、手術と云う大ストレスに対応するために、手術部位に多量の粘液を分泌するが、粘液のためにピースの外面が核に密着するのが妨げられ、ピースが遊離してしまうことが多い。そうなるとしみ珠や突起珠が出来たり、更に真珠袋が形成されずに有機質珠や稜柱層珠が出来てしまつて真珠の歩留が悪くなる。それで真珠貝挿核時において手術部位に多量に分泌される粘液を一時液化してピースの外面が核に密着し易くするためにリゾチームを施用することは極めて興味深いことと考えられる。」（２頁右欄２２〜３２行）
（１-e）「４）リゾチームのバッカル錠を試験区の母貝の生殖腺に手術挿入して、７日乃至１０日間の養生期間中にリゾチームを徐放させ、継続的に真珠貝に施用出来る様に、賦形剤の外に下記の如き結合剤及び滑沢剤を配合して、強力に打錠してリゾチームバッカル錠を製造した。」（３頁左欄８〜１３行）、
（１-f）「１５）本発明で行なうリゾチーム施用法としては
　１　バッカル錠、丸薬・・・として真珠貝の生殖腺に核と離して挿入するのが最もよい。」（４頁左欄３３〜３５行）、
　上記記載によると、引用例１には、
　真珠貝の手術挿核時において、真珠貝中に、リゾチームのバッカル錠、丸薬を、生殖腺に、真珠核とは離れた位置に挿入する真珠養殖方法（以下、「引用例１の発明」という。）が記載されていると認められる。
（２）同じく拒絶の理由に引用された特開平２−１７４６２１号公報（以下「引用例２」という）には、
（２-a）「真珠核の・・・表面に抗菌剤を含有させた層を形成させてなる真珠核。」（特許請求の範囲）、
（２-b）「本発明の目的は、真珠核を挿入する際の細菌感染を防ぎ、母貝の負傷等による脱核、及び母貝のへい死を減少させ、真珠歩留の低下を防止すると共に、挿核手術後の母貝の傷の回復を促進し、優良な真珠を歩留よく生産しうる真珠核を提供することである。」（２頁左下欄２〜７行）、
（２-c）「抗菌剤としては、抗生物質・・・等があり、例えばペニシリン系、セフェム系、アミノグリコシド系、テトラサイクリン系、クロラムフェニコール系、マクロライド系、モノバクタム系、スルファミン系、チアンフェニコール系など何れも使用できる。」（３頁右上欄５〜１０行）、と記載されている。
（３）同じく拒絶の理由に引用された特開平３−１８３４２４号公報（以下「引用例３」という）には、
（３-a）「１．真珠養殖用核の表面に徐放性担体と抗生物質とからなる混合物をコーティング処理し、核表面に該混合物の被膜を形成させることを特徴とする真珠養殖用核の製造方法。」（特許請求の範囲）、
（３-b）「次に本発明で用いる抗生物質としては、一般に水産業で用いられている例えばテトラサイクリン、塩酸テトラサイクリン、カナマイシン、スルファモノメトキシン、スルファモノメトキシンのナトリウム塩、アンビシリン等の水産庁が定める水産用の抗生物質等を挙げることが出来る。」（２頁左下欄１６行〜同頁右下欄１行）と記載されている。
　
３．対比・判断
　本願発明と引用例１の発明とを比較すると、引用例１の発明の「リゾチームのバッカル錠、丸薬」は、本願発明の「薬物含有固形物」に対応するから、両者は、
　真珠貝の挿核施術において、真珠貝中に、１個または２個以上の薬物含有固形物を、真珠核とは離れた位置に挿入する真珠養殖方法で一致し、次の点で構成が相違する。
　相違点（Ａ）
　薬物含有固形物が、本願発明では、「抗生物質を含有する」のに対して、引用例１の発明では、抗生物質を含有していない点、
　相違点（Ｂ）
　薬物含有固形物を挿入する位置が、本願発明では、「切開部もしくはその近傍」であるのに対し、引用例１の発明では、生殖腺であるが、切開部もしくはその近傍であるか不明である点。
　上記相違点について検討する。
　相違点（Ａ）について
　真珠の養殖において、挿核時に抗生物質を施用することは引用例２又は３に記載されているから、引用例１の発明おいて、バッカル錠、丸薬に抗生物質を含ませることは当業者なら容易にできることである。
　相違点（Ｂ）について
　引用例１には、炎症を軽くさせると潰瘍を予防し軽癒させるから真珠貝の手術挿核の場合に、抗炎症剤を施用すれば、治療効果を一層高め得ること（上記（１-c）参照）、創面に高度の炎症が起こること（上記（１-b）参照）、及び真珠貝挿核時において手術部位に多量に分泌される粘液を一時液化してピースの外面が核に密着し易くするためにリゾチームを施用すること（上記（ｌ-d）参照）が記載されており、引用例１の発明において、炎症が起こりやすい手術部位（切開部）もしくはその近傍にリゾチームのバッカル錠、丸薬（薬物含有固形物）を挿入することは当業者なら容易に想到できることである。
　そして、本願発明が奏する効果は、引用例１ないし３に記載された発明から当業者が予測できる程度のことであって格別顕著なものではない。
　したがって、本願発明は、引用例１ないし３に記載された発明に基づいて、当業者が容易に発明をすることができたものである。
　
４．むすび
　以上のとおりであり、本願発明は特許法第２９条第２項の規定により特許を受けることができない。
　よって、結論のとおり審決する。